(57)【特許請求の範囲】
【請求項１】
比較的に抵抗率の低い非磁性信号導体の外周に比較的に抵抗率の高い強磁性金属層を形成したデータ伝送用信号線を複数束ねるか又は撚り合わせ、その外周に絶縁層を形成したデータ伝送用信号線束の絶縁層の外周に、比較的に抵抗率の低い非磁性信号導体の外周に比較的に抵抗率の高い強磁性金属層を形成したデータ伝送用信号線の横巻き又は編組からなるシールド層を形成したことを特徴とするデータ伝送用信号線束。
【請求項２】
請求項１に記載のデータ伝送用信号線束において、前記強磁性金属層は、純鉄，酸化鉄，ニッケル，コバルト，クロム、それら材料の少なくとも１つを含む合金、前記材料の複数を複合した複合構造のいずれかにより形成されていることを特徴とするデータ伝送用信号線束。
【請求項３】
請求項１または請求項２に記載のデータ伝送用信号線束において、前記強磁性金属層の厚みは、０．５〜２．５μｍであることを特徴とするデータ伝送用信号線束。
【請求項４】
請求項１から請求項３のいずれか１項に記載のデータ伝送用信号線束をそれぞれ又は混合して束ねるか又は撚り合わせたことを特徴とするデータ伝送用ケーブル。
【請求項５】
請求項４に記載のデータ伝送用ケーブルの外周に、比較的に抵抗率の低い非磁性信号導体の外周に比較的に抵抗率の高い強磁性金属層を形成したデータ伝送用信号線の横巻き又は編組からなるシールド層を形成したことを特徴とするデータ伝送用ケーブル。
【請求項６】
比較的に抵抗率の低い非磁性信号導体の外周に比較的に抵抗率の高い強磁性金属層を形成したデータ伝送用信号線を複数束ねるか又は撚り合わせ、その外周に絶縁層を形成したデータ伝送用信号線束を束ねるか又は撚り合わせ、その外周に不織布テープを巻回し、その外周にアルミポリエステルテープを巻回し、その外周に、比較的に抵抗率の低い非磁性信号導体の外周に比較的に抵抗率の高い強磁性金属層を形成したデータ伝送用信号線の横巻き又は編組からなるシールド層を形成したことを特徴とするデータ伝送用ケーブル。
【発明の詳細な説明】
【０００１】
【発明の属する技術分野】
本発明は、データ伝送用信号線束およびデータ伝送用ケーブルに関し、さらに詳しくは、高周波ノイズ成分の伝送を十分に抑制できるように改良したデータ伝送用信号線束およびデータ伝送用ケーブルに関する。特に、ＳＣＳＩ（Small Computer System Interface ）ケーブルに有用である。
【０００２】
【従来の技術】
図１４は、従来のＳＣＳＩケーブル９００を用いたＳＣＳＩ接続システムの一例を示す説明図である。
このＳＣＳＩ接続システムＣ’において、パソコンＰのＳＣＳＩインタフェースポートには、ＳＣＳＩケーブル９００を介して、ハードディスク装置ＨＤが接続されている。
【０００３】
図１５は、前記ＳＣＳＩケーブル９００の構造例を示す断面図である。
図１５の（ａ）に示すように、このＳＣＳＩケーブル９００は、データ信号路の各配置位置（点線で示す）Ａ１，Ｂ１，Ｂ２，…，Ｂ２４の外周に、不織布テープ９０をスパイラル状に巻き回し、その外周にアルミポリエステルテープ９１をスパイラル状に巻き回し、その外周を錫めっき銅線の編組９２で被覆し、その外周に絶縁シース９３を形成した構成である。
図１５の（ｂ）に示すように、前記配置位置Ａ１，Ｂ１〜Ｂ２４には、データ伝送用信号線束９１０Ａ，９１０Ｂを対撚りにした対撚りデータ伝送用信号線束が配置されている。
図１５の（ｃ）に示すように、前記データ伝送用信号線束９１０Ａ（９１０Ｂも同じ構成）は、信号導線１の外周に錫めっき層９２２を形成したデータ伝送用信号線９２０を７本だけ束ね、その外周に絶縁層３を形成した構成である。
【０００４】
図１６は、上記ＳＣＳＩケーブル９００の減衰特性を測定した結果を示すグラフである。なお、ＳＣＳＩケーブル９００のケーブル長は２ｍである。
グラフより、周波数ｆ＝０．３〜１００ＭＨｚの範囲では、減衰量が非常に小さいことが判る。
また、周波数ｆ＝１００ＭＨｚ〜５００ＭＨｚの範囲では、減衰量は、周波数ｆが高くなるにつれて少しずつ大きくなるが、５００ＭＨｚでも８ｄＢ程度であり、比較的に小さいことが判る。
【０００５】
図１７は、前記ＳＣＳＩケーブル９００を用いたＳＣＳＩ接続システムの他例を示す説明図である。
このＳＣＳＩ接続システムＣ”において、ハードディスク装置ＨＤ’のデータ入出力部には、高周波ノイズ成分を除去するＬＣ（Ｉｎｄｕｃｔａｎｃｅ−Ｃａｐａｃｉｔａｎｃｅ）フィルタ回路９０１が内蔵されている。
【０００６】
図１８は、前記ＬＣフィルタ回路９０１を装着した状態で前記ＳＣＳＩケーブル９００の減衰特性を測定した結果を示すグラフである。
グラフより、周波数ｆ＝０．３〜１００ＭＨｚの範囲では、図１６に示した減衰特性と同様であり、減衰量が比較的に小さいことが判る。
また、周波数ｆ＝１００ＭＨｚ〜２５０ＭＨｚの範囲では、周波数ｆが高くなるにつれて減衰量が大きくなるが、周波数ｆ＝２５０ＭＨｚ以上では、逆に、周波数ｆが高くなるにつれて減衰量が小さくなることが判る。数値例を示せば、周波数ｆ＝２５０ＭＨｚのときの減衰量は１２ｄＢ程度となり、周波数ｆ＝５００のときの減衰量は５ｄＢ程度となる。
【０００７】
【発明が解決しようとする課題】
上記従来のＳＣＳＩケーブル９００では、図１６を参照して説明したように、２００ＭＨｚ程度以上の高周波に対する減衰量が比較的に小さい（５００ＭＨｚでも８ｄＢ程度）ため、データ伝送用信号線束９１０Ａ，９１０Ｂを介して高周波ノイズ成分が伝送されやすい問題点がある。なお、高周波ノイズ成分は、例えばパソコンのＭＰＵ（Ｍｉｃｒｏｐｒｏｃｅｓｓｏｒ  Ｕｎｉｔ  ）部などから漏洩する高調波成分である。
したがって、従来は、ＳＣＳＩケーブル９００にフェライトコアなどの高周波対策部品を装着する必要があり、コストが増大したり、ケーブル線型が崩れて目障りとなる不都合があった。
【０００８】
また、上記ＬＣフィルタ回路９０１を用いた場合には、ある程度の周波数（図１６の例では２５０ＭＨｚ程度）を境に、周波数が高くなるにつれて減衰度が小さくなるので、非常に高い周波数（例えば１ＧＨｚ以上）の高周波ノイズ成分を十分に減衰させることが難しい問題点がある。また、ＬＣ成分が高周波ノイズ成分を回り込ませたり，他の回路に悪影響を与えたりする要因となりかねない問題点がある。
【０００９】
そこで、本発明の目的は、他への悪影響を防止しつつ、高周波ノイズ成分の伝送を十分に抑制できるように改良したデータ伝送用信号線束およびデータ伝送用ケーブルを提供することにある。
【００１０】
【課題を解決するための手段】
第１の観点では、本発明は、比較的に抵抗率の低い非磁性信号導体の外周に比較的に抵抗率の高い強磁性金属層を形成したデータ伝送用信号線を複数束ねるか又は撚り合わせ、その外周に絶縁層を形成したデータ伝送用信号線束の絶縁層の外周に、比較的に抵抗率の低い非磁性信号導体の外周に比較的に抵抗率の高い強磁性金属層を形成したデータ伝送用信号線の横巻き又は編組からなるシールド層を形成したことを特徴とするデータ伝送用信号線束を提供する。
上記第１の観点によるデータ伝送用信号線束に用いるデータ伝送用信号線では、データ信号の周波数（一般にたかだか数１０Ｍｚ程度）の電流は、比較的に低い抵抗率を有する信号導体を通って低損失で伝送される。
これに対し、高周波の電流（一般に２００Ｍｚ程度以上）に対する損失は大きくなり、高周波ノイズ成分を伝送路中で減衰させるノイズフィルタ特性を得ることが出来る。このような特性が得られる理由は、表皮効果により、高周波の電流が非磁性信号導体の外周側に集中して流れようとするが、非磁性信号導体の外周には比較的に高い抵抗率を有する強磁性金属層が形成されているから、高周波の電流が強磁性金属層の抵抗損失により急速に減衰するためと推定される。また、金属層を「強磁性」に限定することで良好な特性を得られる理由は明らかではないが、信号導体との磁気的結合が関与していると推定される。また、「強磁性」の金属は高周波に対する遮蔽性能がもともと高いことも、好影響を与えていると推定される。
この結果、データ信号を低損失で伝送しつつ、高周波ノイズ成分の伝送を十分に抑制することが出来る。
また、回路的な変更が無いので、高周波ノイズ成分の回り込みや，他の回路への悪影響を防止できる。
さらに、周波数が高いほど伝送路中の減衰量が増大するから、非常に高い周波数（例えば１ＧＨｚ以上）の高周波ノイズ成分も十分に減衰させることが出来る。
また、上記データ伝送用信号線束では、上記構成のデータ伝送用信号線の集合体をデータ信号の伝送路として用いるので、データ信号の伝送損失をいっそう低減すると共に、高周波ノイズ成分を減衰させるノイズフィルタ特性を向上することが出来る。
そして、上記第１の観点によるデータ伝送用信号線束では、上記構成のデータ伝送用信号線束の外周を、比較的に抵抗率の高い強磁性金属層が外周に形成された比較的に抵抗率の低い非磁性導線の横巻き又は編組からなるシールド層で被覆するので、当該シールド層の内周側のデータ伝送用信号線束を外界から見て高周波的に遮蔽し、高周波の電磁波の輻射や高周波ノイズの拾い込みを低減することが出来る。
【００１１】
第２の観点では、本発明は、上記構成のデータ伝送用信号線束において、前記強磁性金属層は、純鉄，酸化鉄，ニッケル，コバルト，クロム、それら材料の少なくとも１つを含む合金、前記材料の複数を複合した複合構造のいずれかにより形成されていることを特徴とするデータ伝送用信号線束を提供する。
上記第２の観点の観点によるデータ伝送用信号線束では、純鉄，酸化鉄，ニッケル，コバルト，クロム、それら材料の少なくとも１つを含む合金、前記材料の複数を複合した複合構造のいずれかを強磁性金属層として用いるので、強磁性体としての特性（磁化されやすい性質）を良好に得ると共に、抵抗率を十分に大きくすることができ、優れたノイズフィルタ特性を容易に得ることが出来る。
【００１２】
第３の観点では、本発明は、上記構成のデータ伝送用信号線束において、前記強磁性金属層の厚みは、０．５〜２．５μｍであることを特徴とするデータ伝送用信号線束を提供する。
上記第３の観点によるデータ伝送用信号線束では、強磁性金属層の厚みの下限を０．５μｍとしたので、高周波の電流に対する減衰量を十分に大きくすると共に、高周波に対する遮蔽性能を十分に高めることが出来る。また、強磁性金属層の厚みの上限を２．５μｍとしたので、強磁性金属層をめっき処理などにより短時間で容易に形成できると共に、硬性の強磁性金属層によりデータ伝送用信号線の可撓性が損われることを防止できる。
【００１３】
第４の観点では、本発明は、上記構成のデータ伝送用信号線束をそれぞれ又は混合して束ねるか又は撚り合わせたことを特徴とするデータ伝送用ケーブルを提供する。
上記第４の観点によるデータ伝送用ケーブルでは、上記構成のデータ伝送用信号線束を複数束ねるか又は撚り合わせて多芯構造とするので、高周波ノイズ成分の伝送を十分に抑制しつつ、パラレルデータ伝送を行うことができ、データ伝送の高速化に好適に対応できる。
【００１４】
第５の観点では、本発明は、上記構成のデータ伝送用ケーブルの外周に、比較的に抵抗率の低い非磁性信号導体の外周に比較的に抵抗率の高い強磁性金属層を形成したデータ伝送用信号線の横巻き又は編組からなるシールド層を形成したことを特徴とするデータ伝送用ケーブルを提供する。
上記第５の観点によるデータ伝送用ケーブルでは、上記構成のデータ伝送用ケーブルの外周を、強磁性金属でめっきされた非磁性導線の横巻き又は編組からなるシールド層で被覆するので、当該シールド層の内周側のデータ伝送用ケーブルを外界から見て高周波的に遮蔽でき、高周波の電磁波の輻射や高周波ノイズの拾い込みを低減することが出来る。特に、上記第５の観点にかかるデータ伝送用信号線束を用いた場合には、データ伝送用信号線が２重のシールド層で遮蔽されるので、高周波の電磁波の輻射や高周波ノイズの拾い込みをいっそう低減することが出来る。
【００１５】
第６の観点では、本発明は、比較的に抵抗率の低い非磁性信号導体の外周に比較的に抵抗率の高い強磁性金属層を形成したデータ伝送用信号線を複数束ねるか又は撚り合わせ、その外周に絶縁層を形成したデータ伝送用信号線束を束ねるか又は撚り合わせ、その外周に不織布テープを巻回し、その外周にアルミポリエステルテープを巻回し、その外周に、比較的に抵抗率の低い非磁性信号導体の外周に比較的に抵抗率の高い強磁性金属層を形成したデータ伝送用信号線の横巻き又は編組からなるシールド層を形成したことを特徴とするデータ伝送用ケーブルを提供する。
【００１７】
【発明の実施の形態】
以下、図に示す実施形態により本発明をさらに詳細に説明する。なお、これにより本発明が限定されるものではない。
【００１８】
−第１の実施形態−
図１は、本発明のデータ伝送用信号線束に用いるデータ伝送用信号線の一例を示す断面図である。
このデータ伝送用信号線１００は、比較的に抵抗率の低い非磁性信号導線１の外周に、比較的に抵抗率の高い強磁性金属めっき層２を形成した構成である。前記非磁性信号導線１の材料は、例えば、銅（常温での抵抗率＝１．７２μΩ・ｃｍ程度）である。前記強磁性金属めっき層２の材料は、例えば、純鉄（常温での抵抗率＝１０．０μΩ・ｃｍ程度）である。なお、純鉄の代りに、酸化鉄や，ニッケルや，コバルトや，クロムや，それらを含む合金を用いてもよい。前記非磁性信号導線１の直径φは、例えば、０．１２７ｍｍである。前記強磁性金属めっき層２の厚みτは、例えば０．５〜２．５μｍである。
以上のデータ伝送用信号線１００によれば、高周波ノイズ成分を減衰させるノイズフィルタ特性を得られるので、高周波ノイズ成分（例えば２００ＭＨｚ程度以上）の伝送を十分に抑制でき、データ伝送エラーを低減することが出来る。
【００１９】
図２は、本発明のデータ伝送用信号線束に用いるデータ伝送用信号線の他例を示す断面図である。
このデータ伝送用信号線２００は、比較的に抵抗率の低い非磁性信号導線１の外周に、純鉄めっき層２ａを形成し、その外周にフラッシュめっきによりニッケルめっき層２ｂを形成した複合構造である。
以上のデータ伝送用信号線２００によれば、純鉄めっき層２ａをニッケルめっき層２ｂで保護するので、純鉄めっき層２ａを錆び難くし、特性の経時劣化を低減することが出来る。
【００２０】
以上のデータ伝送用信号線２００によれば、純鉄めっき層２ａをニッケルめっき層２ｂで保護するので、純鉄めっき層２ａを錆び難くし、特性の経時劣化を低減することが出来る。
【００２１】
図３は、上記データ伝送用信号線１００を用いたデータ伝送用信号線束の構造を示す断面図である。
このデータ伝送用信号線束３００は、図１のデータ伝送用信号線１００（比較的に抵抗率の低い非磁性信号導線１の外周に、比較的に抵抗率の高い強磁性金属めっき層２を形成したもの）を７本だけ束ねるか又は撚り合わせ、その外周に絶縁層３を形成した構成である。
以上のデータ伝送用信号線束３００によれば、データ伝送用信号線１００を複数束ねるか又は撚り合せて集合線または撚り線とするので、データ信号に対する伝送損失をいっそう低減すると共に、高周波ノイズ成分を減衰させるノイズフィルタ特性を向上することが出来る。
【００２２】
図４は、本発明の第１の実施形態にかかるデータ伝送用信号線束の構造を示す断面図である。
このデータ伝送用信号線束４００は、図３のデータ伝送用信号線束３００（図１のデータ伝送用信号線１００を複数束ねるか又は撚り合わせ、その外周に絶縁層３を形成したもの）の外周に、シールド層４１を形成した構成である。
前記シールド層４１は、比較的に抵抗率の低い非磁性導線（例えば銅線；図１の１に相当）の外周に、比較的に抵抗率の高い強磁性金属めっき層（例えば純鉄層；図１の２に相当）を形成したもの（図１のデータ伝送用信号線１００と同じ構成）の横巻き又は編組である。
以上のデータ伝送用信号線束４００によれば、データ伝送用信号線束３００の外周を、強磁性金属でめっきされた非磁性導線の横巻き又は編組からなるシールド層４１で被覆するので、データ伝送用信号線束３００を外界から見て高周波的に遮蔽して、高周波の電磁波の輻射や高周波ノイズの拾い込みを低減することが出来る。
【００２３】
−第２の実施形態−
図５は、本発明の第２の実施形態にかかるデータ伝送用ケーブルの構造を示す断面図である。
このデータ伝送用ケーブル５００は、図４のデータ伝送用信号線束４００（図３のデータ伝送用信号線束３００の外周にシールド層４１を形成したもの）を複数束ねるか又は撚り合わせ、その外周に絶縁層５１を形成した構成である。
以上のデータ伝送用ケーブル５００によれば、データ伝送用信号線束４００を複数束ねるか又は撚り合わせて多芯構造とするので、高周波ノイズ成分の伝送を十分に抑制しつつ、パラレルデータ伝送を行うことができ、データ伝送の高速化に好適に対応できる。
【００２４】
−第３の実施形態−
図６は、本発明の第３の実施形態にかかるデータ伝送用ケーブルの構造を示す断面図である。
このデータ伝送用ケーブル６００は、図５のデータ伝送用ケーブル５００（図４のデータ伝送用信号線束４００を複数束ねるか又は撚り合わせ、その外周に絶縁層５１を形成したもの）の外周にシールド層６１を形成した構成である。
前記シールド層６１は、比較的に抵抗率の低い非磁性導線（例えば銅線；図１の１に相当）の外周に、比較的に抵抗率の高い強磁性金属めっき層（例えば純鉄層；図１の２に相当）を形成したもの（図１のデータ伝送用信号線１００と同じ構成）の横巻き又は編組である。
以上のデータ伝送用ケーブル６００によれば、データ伝送用ケーブル５００の外周を、強磁性金属でめっきされた非磁性導線の横巻き又は編組からなるシールド層６１で被覆するので、各データ伝送用信号線束４００を外界から見て高周波的に遮蔽して（データ伝送用信号線束３００をシールド層４１，５１で２重に遮蔽して）、高周波の電磁波の輻射や高周波ノイズの拾い込みをいっそう低減することが出来る。
【００２５】
−参考例−
図７は、参考例にかかるＳＣＳＩケーブル７００の構造を示す断面図である。一般に、ＳＣＳＩケーブルの信号線数は、２５対（５０本）である。
図７の（ａ）に示すように、このＳＣＳＩケーブル７００は、データ信号路の各配置位置（点線で示す）Ａ１，Ｂ１，Ｂ２，…，Ｂ２４の外周に、不織布テープ９０をスパイラル状に巻き回し、その外周にアルミポリエステルテープ９１をスパイラル状に巻き回し、その外周を錫めっき銅線の編組９２で被覆し、その外周に絶縁シース９３を形成した構成である。前記錫めっき銅線は、例えば、素線径０．１ｍｍの銅線の外周に錫めっきを施したものである。
図７の（ｂ）に示すように、前記配置位置Ａ１，Ｂ１〜Ｂ２４には、データ伝送用信号線束３００Ａ，３００Ｂを対撚りにした対撚りデータ伝送用信号線束が配置されている。前記データ伝送用信号線束３００Ａ，３００Ｂの構成は、上記第３の実施形態にかかるデータ伝送用信号線束３００（図３参照）と同じである。すなわち、図７の（ｃ）に示すように、前記データ伝送用信号線束３００Ａ（３００Ｂも同じ構成）は、比較的に抵抗率の低い非磁性信号導線１の外周に、比較的に抵抗率の高い強磁性金属めっき層２を形成したデータ伝送用信号線１００（図１参照）を７本だけ束ねるか又は撚り合わせ、その外周に絶縁層３を形成した構成である。前記非磁性信号導線１は、例えば直径φ＝０．１２７ｍｍの銅線である。前記強磁性金属めっき層２は、例えば厚みτ＝０．５〜２．５μｍの純鉄である。
【００２６】
図８は、このＳＣＳＩケーブル７００の減衰特性を測定するための減衰特性測定システムＳＧを示す構成図である。
この減衰特性測定システムＳＧは、ＳＣＳＩケーブル７００の測定対象の配置位置（例えばＢ１２）にあるデータ伝送用信号線束３００Ａ，３００Ｂの両端を、それぞれ、バルントランス（ＢＡＬａｎｃｅ  ｔｏ  ＵＮｂａｌａｎｃｅ  ｔｒａｎｓｆｏｒｍｅｒ）ＴＲ１，ＴＲ２を介して、ネットワークアナライザＡに接続した構成である。なお、測定対象外（Ｂ１２以外）のデータ伝送用信号線束３００Ａ，３００Ｂの一端は開放し、他端はすべて錫めっき導線の編組９２と短絡した。
なお、ネットワークアナライザＡの代りに、ゲイン・フェーズ・アナライザを用いてもよい。
【００２７】
図９〜図１１は、図８の減衰特性測定システムＳＧによる測定結果を示すグラフである。なお、ＳＣＳＩケーブル７００のケーブル長は、２ｍである。ＳＣＳＩケーブル７００にかかる特性を実線で示す。また、第１の比較例として、従来のＳＣＳＩケーブル９００にかかる特性（図１６参照）を点線で示す。第２の比較例として、ＬＣフィルタ回路９０１を装着したＳＣＳＩケーブル９００にかかる特性（図１８参照）を一点鎖線で示す。
図９は、前記強磁性金属めっき層２（図７参照）の厚みτ＝０．５μｍに対する測定結果である。グラフより、周波数ｆが１００ＭＨｚ程度以上の減衰量は、第１の比較例より大きくなることが判る。また、周波数ｆ＝３５０ＭＨｚ程度以上の減衰量は、第２の比較例より大きくなることが判る。ちなみに、ｆ＝５００ＭＨｚのときの減衰量は１４ｄＢ程度となる（第１の比較例より６ｄＢ程度大きく、第２の比較例より９ｄＢ程度大きい）。
図１０は、厚みτ＝１．０μｍに対する測定結果である。グラフより、周波数ｆが１００ＭＨｚ程度以上の減衰量は、τ＝０．５μｍのときよりさらに大きくなることが判る。ちなみに、ｆ＝５００ＭＨｚのときの減衰量は、２１ｄＢ程度となる（第１の比較例より１３ｄＢ程度大きく、第２の比較例より１６ｄＢ程度大きい）。
図１１は、厚みτ＝１．５μｍに対する測定結果である。グラフより、周波数ｆが１００ＭＨｚ程度以上の減衰量は、τ＝１．０μｍのときよりさらに大きくなることが判る。ちなみに、ｆ＝５００ＭＨｚのときの減衰量は、２９ｄＢ程度となる（第１の比較例より２１ｄＢ程度大きく、第２の比較例より２４ｄＢ程度大きい）。
ＳＣＳＩの仕様では、データ信号の周波数はたかだか数１０Ｍｚ程度である。したがって、図９〜図１１のいずれの特性でも、データ信号に対しては減衰量が十分に小さい。これに対し、２００ＭＨｚ程度以上の高周波に対しては、減衰量が大きくなる。
【００２８】
図１２は、このＳＣＳＩケーブル７００を用いたＳＣＳＩ接続システムを示す説明図である。
このＳＣＳＩ接続システムＣにおいて、パソコンＰのＳＣＳＩインタフェースポートには、前記ＳＣＳＩケーブル７００を介して、ハードディスク装置ＨＤが接続されている。なお、別のＳＣＳＩケーブル７００を介して、他のハードディスク装置や，ＭＯ（Ｍａｇｎｅｔｉｃ  Ｏｐｔｉｃａｌ）ディスク装置や，ＣＤ−ＲＯＭ（Ｃｏｍｐａｃｔ  Ｄｉｓｋ  Ｒｅａｄ  Ｏｎｌｙ  Ｍｅｍｏｒｙ  ）や，スキャナ装置などのＳＣＳＩ準拠機器がさらに接続されることもある。
先に図９〜図１１を参照して説明したように、このＳＣＳＩケーブル７００では、２００ＭＨｚ程度以上の高周波に対する減衰量が大きいから、フェライトコアなどの高周波対策部品を装着する必要がない。
【００２９】
以上のＳＣＳＩケーブル７００によれば、非磁性信号導線１の外周に、強磁性金属めっき層２を形成したデータ伝送用信号線１００を用いるので、２００ＭＨｚ程度以上の高周波ノイズ成分の伝送を十分に抑制でき、データ伝送エラーを低減することが出来る。したがって、高周波対策部品を装着する必要がなくなり、コストを低減すると共に、ケーブル線型を損わない外観にすることが出来る。
【００３０】
−第４の実施形態−
図１３は、本発明の第４の実施形態にかかるＳＣＳＩケーブル８００の構造を示す断面図である。
図１３の（ａ）に示すように、このＳＣＳＩケーブル８００は、データ信号路の各配置位置（点線で示す）Ａ１，Ｂ１，Ｂ２，…，Ｂ２４の外周に、不織布テープ９０をスパイラル状に巻き回し、その外周にアルミポリエステルテープ９１をスパイラル状に巻き回し、その外周をシールド層８１で被覆し、その外周に絶縁シース９３を形成した構成である。
前記シールド層８１は、比較的に抵抗率の低い非磁性導線（例えば銅線；図１の１に相当）の外周に、比較的に抵抗率の高い強磁性金属めっき層（例えば純鉄層；図１の２に相当）を形成したもの（図１のデータ伝送用信号線１００と同じ構成）の横巻き又は編組である。
図１３の（ｂ）に示すように、前記配置位置Ａ１，Ｂ１〜Ｂ２４には、データ伝送用信号線束３００Ａ，３００Ｂを対撚りにした対撚りデータ伝送用信号線束が配置されている。前記データ伝送用信号線束３００Ａ，３００Ｂの構成は、上記第３の実施形態にかかるデータ伝送用信号線束３００（図３参照）と同じである。すなわち、図１３の（ｃ）に示すように、前記データ伝送用信号線束３００Ａ（３００Ｂも同じ構成）は、比較的に抵抗率の低い非磁性信号導線１の外周に、比較的に抵抗率の高い強磁性金属めっき層２を形成したデータ伝送用信号線１００（図１参照）を７本だけ束ねるか又は撚り合わせ、その外周に絶縁層３を形成した構成である。
【００３１】
以上のＳＣＳＩケーブル８００によれば、ケーブル外周側を、強磁性金属でめっきされた非磁性導線の横巻き又は編組からなるシールド層８１で被覆するので、高周波の電磁波の輻射や高周波ノイズの拾い込みを低減することが出来る。
【００３２】
【発明の効果】
本発明のデータ伝送用信号線束およびデータ伝送用ケーブルによれば、信号線や信号線束やケーブル自体に、高周波を減衰させるフィルタ特性を付与できるから、データ伝送の安定性や信頼性を向上することが出来る。また、非磁性信号導体の外周に形成された強磁性金属層が高周波遮蔽能力を有するので、高周波の電磁波の輻射や高周波ノイズの拾い込みを低減し、情報処理装置等電波障害自主規制協議会（VCCI;Voluntary Control Council for Interference data processing equipment and electronic office machines）の規制に容易に対応できる。
また、フェライトコアなどの高周波対策部品を不要化できるから、コストを低減できる。
【図面の簡単な説明】
【図１】本発明のデータ伝送用信号線束に用いるデータ伝送用信号線の一例を示す断面図である。
【図２】本発明のデータ伝送用信号線束に用いるデータ伝送用信号線の他例を示す断面図である。
【図３】図１，図２のデータ伝送用信号線を用いたデータ伝送用信号線束の断面図である。
【図４】本発明の第１の実施形態にかかるデータ伝送用信号線束の断面図である。
【図５】本発明の第２の実施形態にかかるデータ伝送用ケーブルの断面図である。
【図６】本発明の第３の実施形態にかかるデータ伝送用ケーブルの断面図である。
【図７】参考例のＳＣＳＩケーブルを示す断面図である。
【図８】図７のＳＣＳＩケーブルの減衰特性を測定するための減衰特性測定システムを示す構成図である。
【図９】図８の減衰特性測定システムによる測定結果を示すグラフである。
【図１０】図８の減衰特性測定システムによる測定結果を示す別のグラフである。
【図１１】図８の減衰特性測定システムによる測定結果のさらに別のグラフである。
【図１２】図７のＳＣＳＩケーブルを用いたＳＣＳＩ接続システムの説明図である。
【図１３】本発明の第４の実施形態にかかるＳＣＳＩケーブルを示す断面図である。
【図１４】従来のＳＣＳＩケーブルを用いたＳＣＳＩ接続システムの一例を示す説明図である。
【図１５】従来のＳＣＳＩケーブルの構造例を示す断面図である。
【図１６】図１５のＳＣＳＩケーブルの減衰特性を示すグラフである。
【図１７】図１５のＳＣＳＩケーブルを用いたＳＣＳＩ接続システムの他例を示す説明図である。
【図１８】ＬＣフィルタ回路を装着したＳＣＳＩケーブルの減衰特性を示すグラフである。
【符号の説明】
１００，２００    データ伝送用信号線
３００，３００Ａ，３００Ｂ  ４００  データ伝送用信号線束
５００，６００    データ伝送用ケーブル
７００，８００    ＳＣＳＩケーブル
１                非磁性信号導線
２                強磁性金属めっき層
２ａ              純鉄めっき層
２ｂ              ニッケルめっき層
３，５１          絶縁層
４１，６１，８１  シールド層
９２              錫めっき銅線の編組
９３              絶縁シース
【図１】
0003624300.tif 000002
【図２】
0003624300.tif 000003
【図３】
0003624300.tif 000004
【図４】
0003624300.tif 000005
【図５】
0003624300.tif 000006
【図６】
0003624300.tif 000007
【図７】
0003624300.tif 000008
【図８】
0003624300.tif 000009
【図９】
0003624300.tif 000010
【図１０】
0003624300.tif 000011
【図１１】
0003624300.tif 000012
【図１２】
0003624300.tif 000013
【図１３】
0003624300.tif 000014
【図１４】
0003624300.tif 000015
【図１５】
0003624300.tif 000016
【図１６】
0003624300.tif 000017
【図１７】
0003624300.tif 000018
【図１８】
0003624300.tif 000019